(57)【要約】【課題】容易に仕切り可能な仕切りユニットと仕切り留め具を提供する。また、小物類を容易に仕切り可能な収容バッグを提供する。【解決手段】仕切りユニット100は、箱状の内容器110とその内部に収容配置される仕切り120から構成する。仕切り120は複数の仕切り板121、122から構成し、仕切り板121、122の端部と内容器110の側壁とを仕切り留め具130により固定する。仕切り留め具130は、逆Ｕ字形の第１弾性環着部131と逆Ｕ字形の第２弾性環着部132とをＴ字形に配置してなり、第１弾性環着部131を弾性変形により仕切り板121、122の端部上端に環着し、第２弾性環着部131を弾性変形により容器本体110の側壁上端に環着する。仕切りユニット100は収容バッグ１の収容室２に収容配置する。【選択図】図１
2012085705.tif 000002
【特許請求の範囲】
【請求項１】
底面および側壁を有する箱状の容器本体と、容器本体の内部に収容配置される１又は複数の仕切り板から構成される仕切りとを備え、仕切り板の端部と容器本体の側壁とを仕切り留め具により固定し、仕切り留め具は、弾性変形により仕切り板の端部上端に環着される第１の弾性環着部と、弾性変形により容器本体の側壁上端に環着される第２の弾性環着部とを有することを特徴とする仕切りユニット。
【請求項２】
第１の弾性環着部と第２の弾性環着部は、それぞれ逆Ｕ字形の弾性ゴムからなる弾性環着体を有することを特徴とする請求項１記載の仕切りユニット。
【請求項３】
仕切りは、一定間隔で上部スリットを上端に備える第１の仕切り板と、一定間隔で下部スリットを下端に備える第２の仕切り板を有し、上部スリットと下部スリットの位置を合せて、第１の仕切り板と第２の仕切り板が上下方向に組み付けられていることを特徴とする請求項１または請求項２記載の仕切りユニット。
【請求項４】
一定間隔で上部スリットを上端に備える第１の仕切り板に両側から袋状の外嵌体が外嵌されていることを特徴とする請求項１ないし請求項３のいずれか一項に記載の仕切りユニット。
【請求項５】
仕切り板の端部と容器本体の側壁または複数の仕切り板の端部どうしを固定する仕切り留め具であって、弾性変形により一方の仕切り板の端部上端に環着される第１の弾性環着部と、弾性変形により他方の容器本体の側壁上端または他方の仕切り板の端部上端に環着される第２の弾性環着部を有することを特徴とする仕切り留め具。
【請求項６】
第１の弾性環着部と第２の弾性環着部は、それぞれ逆Ｕ字形の弾性ゴムからなる弾性環着体を有することを特徴とする請求項５記載の仕切り留め具。
【請求項７】
第１の弾性環着部と第２の弾性環着部は、それぞれ環着時に弾性環着体を補強する環着補強板を有することを特徴とする請求項６記載の仕切り留め具。
【請求項８】
請求項１記載の仕切りユニットを収容室に収容配置してなることを特徴とする収容バッグ。
【発明の詳細な説明】
【技術分野】
【０００１】
本発明は、箱状の容器本体に仕切り板を配置してなる仕切りユニットと、これに用いる仕切り留め具と、仕切りユニットを用いた収容バッグに関するものである。
【背景技術】
【０００２】
女性や男性が持ち運ぶバッグには、多種多様な小物が収容されている。例えば、女性の場合、バッグに化粧品やコンパクト、ハンカチ等を収容する例が多い。また、手帳や財布、携帯電話、ティッシュなどの小物は女性や男性に限らず、多くの人がバッグに収容している。さらには、携帯型のパソコンをバッグに収容して持ち運ぶ場合、マウスや電源コードその他の付属品も合せて収容する場合もある。
【０００３】
このようにバッグ（カバンも含む）には、多種多様な小物が収容されるが、持ち運ぶ途中に中の小物類の位置がバラバラになって捜すのに苦労したり、重心が偏って持ち運びに苦労したりする場合が少なくない。そこで、従来より、収納室内に仕切りを設けたバッグが種々提案されている（特許文献１、特許文献２、特許文献３等を参照）
【先行技術文献】
【特許文献】
【０００４】
【特許文献１】登録実用新案第３０１７１５５号公報
【特許文献２】登録実用新案第３０４１８５９号公報
【特許文献３】特許公開平１１−１７８６２１号公報
【発明の概要】
【発明が解決しようとする課題】
【０００５】
しかしながら、特許文献１や特許文献２のバッグは、収納空間に四角形状の仕切り板を設けて前後に収納空間を分けるのみであるから、小物類等の整理には不十分であり、持ち運びの際に小物類がばらつくおそれがある。特許文献３のバッグは、バッグ本体に仕切りが一体に設けられているため、既存のバッグに対しては後から仕切りを設けることは困難である。
【０００６】
本発明は上記問題点に鑑みてなされたもので、容易に仕切り可能な仕切りユニットと仕切り留め具を提供すること、さらには、小物類を容易に仕切り可能な収容バッグを提供することを目的とする。
【課題を解決するための手段】
【０００７】
上記課題を解決するために、本発明に係る仕切りユニットは、側壁を有する箱状の容器本体と、容器本体の内部に収容配置される１又は複数の仕切り板から構成される仕切りとを備え、仕切り板の端部と容器本体の側壁とを仕切り留め具により固定し、仕切り留め具は、弾性変形により仕切り板の端部上端に環着される第１の弾性環着部と、弾性変形により容器本体の側壁上端に環着される第２の弾性環着部とを有することを主要な特徴とする。
【０００８】
本発明に係る仕切りユニットは、第１の弾性環着部と第２の弾性環着部が、それぞれ逆Ｕ字形の弾性ゴムからなる弾性環着体を有することを第２の特徴とする。
【０００９】
本発明に係る仕切りユニットは、仕切りが、一定間隔で上部スリットを上端に備える第１の仕切り板と、一定間隔で下部スリットを下端に備える第２の仕切り板を有し、上部スリットと下部スリットの位置を合せて、第１の仕切り板と第２の仕切り板が上下方向に組み付けられていることを第３の特徴とする。
【００１０】
本発明に係る仕切りユニットは、一定間隔で上部スリットを上端に備える第１の仕切り板に両側から袋状の外嵌体が外嵌されていることを第４の特徴とする。
【００１１】
本発明に係る仕切り留め具は、仕切り板の端部と容器本体の側壁または複数の仕切り板の端部どうしを固定する仕切り留め具であって、弾性変形により一方の仕切り板の端部上端に環着される第１の弾性環着部と、弾性変形により他方の容器本体の側壁上端または他方の仕切り板の端部上端に環着される第２の弾性環着部を有することを主要な特徴とする。
【００１２】
本発明に係る仕切り留め具は、第１の弾性環着部と第２の弾性環着部が、それぞれ逆Ｕ字形の弾性ゴムからなる弾性環着体を有することを第２の特徴とする。
【００１３】
本発明に係る仕切り留め具は、第１の弾性環着部と第２の弾性環着部が、それぞれ環着時に弾性環着体を補強する環着補強板を有することを第３の特徴とする。
【００１４】
本発明に係る収容バッグは、前記仕切りユニットを収容室に収容配置してなることを主要な特徴とする。
【発明の効果】
【００１５】
以上説明したように、本発明に係る仕切りユニットおよび仕切り留め具によると、弾性変形により仕切り板の端部上端に環着される第１の弾性環着部と、弾性変形により容器本体の側壁上端に環着される第２の弾性環着部とを有する仕切り留め具を用いて、容器本体内を容易に仕切ることができるし、また、仕切り板を容器本体の側壁に簡単でかつ確実に固定できるという優れた効果を奏する。
【００１６】
また、本発明に係る収容バッグによると、前記仕切りユニットを用いることにより、中に収容する小物類を容易に整理整頓することができ、また、既存の収容バッグの使用価値を高めることができるという優れた効果を奏する。
【図面の簡単な説明】
【００１７】
【図１】本発明の一実施形態を示すもので、収容バッグの全体斜視図、
【図２】収容バッグ内に仕切りユニットを配置する様子を示す斜視図、
【図３】仕切りを示す斜視図、
【図４】仕切りに外挿体を取り付けた状態を示す斜視図、
【図５】内容器内に仕切りを配置する様子を示す斜視図、
【図６】内容器と仕切りにＴ字形の仕切り留め具を取り付ける様子を示す斜視図、
【図７】Ｔ字形の仕切り留め具を示すもので、（Ａ）は側面図、（Ｂ）は正面図、（Ｃ）は平面図、
【図８】別のＴ字形の仕切り留め具を示すもので、（Ａ）は側面図、（Ｂ）は正面図、（Ｃ）は平面図、
【図９】十字形の仕切り留め具を示す平面図である。
【発明を実施するための最良の形態】
【００１８】
本発明を実施するための最良の形態につき、図１ないし図７を参照して説明する。図中、符号１は収容バッグ、符号１００は仕切りユニットを示している。
【００１９】
収容バッグ１は、布製や皮製の可撓製のある材質から形成され、内側に上方に開口する収容室２と外側に一対の取っ手３をそれぞれ備えている。収容バッグ１の収容室２には、図１および図２に示すように、仕切りユニット１００を収容配置するようになっている。仕切りユニット１００は、軽量な内容器１１０に軽量な仕切り１２０を挿入配置し、仕切り留め具１３０により内容器１１０に仕切り１２０を固定するようになっている。
【００２０】
仕切りユニット１００の組立手順について図３ないし図６を参照して説明すると、まず、図３に示すように、長手方向（Ｘ方向）に延在する仕切り板１２１に短手方向（Ｙ方向）に延在する仕切り板１２２を組付ける。両仕切り板１２１、１２２は例えば軽いプラスチック製又は厚い紙製等からなる。仕切り板１２１には上端から下方に半ばまで櫛歯状に開口する上部スリット１２３が一定間隔Ｓ１で設けられている。仕切り板１２２には下端から上方に半ばまで櫛歯状に開口する下部スリット１２４が一定間隔Ｓ２で設けられている。各スリット１２３，１２４の幅は仕切り板１２１，１２２の板厚寸法以上とされている。
【００２１】
そして、仕切り板１２１の一の上部スリット１２３に他方の仕切り板１２２の一の下部スリット１２４を位置合わせして、仕切り板１２１と仕切り板１２２を上下方向に組み付ける。上部スリット１２３と下部スリット１２４の位置を調整することにより、仕切り板１２１に対する仕切り板１２２の組付け位置を適宜変更できる。
【００２２】
次に、図４に示すように、仕切り板１２１の両端側から例えばフィルムや紙等からなる袋状の外挿体１２５、１２５を外挿し、これにより、仕切り板１２１の上端の上部スリット１２３を隠す。そして、図５に示すように、組立後の仕切り１２０を、内容器１１０の開口部１１１A内に挿入配置する。このとき、内容器１１０は、内容器本体１１１の周囲に布製等のカバー１１２を予め装着しておく。
【００２３】
次に、図６に示すように、カバー１１２の上から、仕切り板１２１の両端と内容器１１０の側壁との間、仕切り板１２２の両端と内容器１１０の側壁との間に、それぞれ仕切り留め具１３０を合計４個嵌めて取り付ける。これにより、内容器１１０の内側に仕切り１２０が固定される。それぞれの仕切り留め具１３０は、図６および図７に示すように、仕切り板１２１、１２２の端部上端に環着される断面逆U字形の第１弾性環着部１３１と、内容器１１０の側壁上端に環着される断面逆U字形の第２弾性環着部１３２から構成され、これら第１弾性環着部１３１と第２弾性環着部１３２が平面視してT字形をなすように構成されている。
【００２４】
第１弾性環着部１３１と第２弾性環着部１３２は、それぞれ一体な弾性ゴムからなり、両側の弾性ゴム片の間に下向きに開口する圧入空間１３１Ａ、１３２Ａが形成されている。そして、第１弾性環着部１３１、第２弾性環着部１３２の両側の弾性ゴム片の先端を外側に弾性変形させながら、圧入空間１３１Ａ、１３２Ａに仕切り板１２１、１２２の端部上端および内容器１１０の側壁上端を深く進入させて、同仕切り板１２１、１２２の端部上端および内容器１１０の側壁上端に弾性ゴム片を環着し、これにより、弾性ゴム片の弾性復帰力により、第１弾性環着部１３１および第２弾性環着部１３２の両側の弾性ゴム片が仕切り板１２１、１２２の端部上端および内容器１１０の側壁上端に両側から強く密着し、仕切り１２０を内容器１１０の内側に固定する。
【００２５】
このようにして、仕切りユニット１００が完成したら、図２に示すように、収容バッグ１の収容室２内に仕切りユニット１００を収容配置する。収容バッグ１内に仕切りユニット１００を収容配置することにより、収納バッグ１内に大小のサイズあるいは等しいサイズの複数の小収容室Ａ〜Ｄを簡単に設けることができる。小収容室Ａ〜Ｄには、小物、例えば、日常必要なもの（財布、携帯電話、定期入れ、ハンカチ、ティッシュ、カギ、化粧品、コンパクトなど）、仕事に使うもの（手帳、筆記用具、名刺入れなど）、救急的なもの（薬、絆創膏など）等に分類して収容してよく、また、使う頻度によって分類し収容してもよい。
【００２６】
本実施形態の収容バッグ１によると、仕切りユニット１００を収容配置することで、バッグの中の小物を整理整頓することができ、目的の小物を直ぐに取り出すことができ、また、出掛ける際に小物の忘れを防止できる。これによって、多種多様な小物がバッグの中でばらついたり、目的の小物を探すのにイライラしたり、忘れ物を取りに戻ることを防止できる。
【００２７】
また、収容バッグ１が可撓性のある布製やビニール製である場合、仕切りユニット１００を収容配置することで、バッグを立体化して自立させることができ、小物の整理や取出しをスムーズに行うことができる。さらに、バッグが布製等である場合、持ち運びの際にバッグの中の小物の位置がバラバラになったり、小物全体の重みが一点に集中する傾向にあるが、仕切りユニット１００により、小物の位置がばらつかず、小物全体の重みも分散し、安定して持ち運びしやすいというメリットがある。
【００２８】
仕切りユニット１００は、中容器１１０や仕切り１２０に厚紙等の軽量材を用いることで、軽量化を図ることができ、仕切りユニット１００を収容した状態の収容バッグ１の重さを抑制できる。また、既存の収容バッグ１に適用して、その使用価値を高めることができる。さらに、中容器１１０は容器本体１１１に布製等のカバー１１２を付けることで、ファッション性を高めることができる。カバー１１２にはお洒落な模様やデザインを施すことができる。
【００２９】
仕切り１２０は、上部スリット１２３を備える仕切り板１２１に両端側から袋状の外嵌体１２５を嵌めるようにしたから、収容バッグ１内で仕切り板１２１の上部スリット１２３に例えば携帯電話のストラップ等が引っ掛かることがないし、上部スリット１２３が隠れるから見栄えも良くなる。
【００３０】
仕切り板１２１、１２２は、一定間隔に設けられた上部スリット１２３、下部スリット１２４に合せて互いに組み付けることができ、組み付け位置を容易に調整できる。これにより、中容器１１０内の小収容室Ａ〜Ｄのサイズを、小物の大きさ、数、種類に合せて、適宜調整できる。
【００３１】
仕切り留め具１３０は、中容器１１０に対し仕切り１２０をワンタッチで固定できる。すなわち、仕切り留め具１３０のT字形に向く第１弾性環着部１３１と第２弾性環着部１３２の各弾性ゴム片を、弾性変形により仕切り板１２１、１２２の端部上端および中容器１１０の側壁上端に環着することにより、各弾性ゴム片の弾性変形および復元力を利用して、簡単には外れないように固定できる。
【００３２】
図８は、別の仕切り留め具１３０’を示している。同図に示すように、仕切り留め具１３０’は、仕切り板１２１、１２２の端部に環着される一対の逆Ｕ字形の第１弾性環着体１３３と、内容器１１０の側壁上端に環着される逆Ｕ字形の第２弾性環着体１３４、１３４を第１環着補助板１３５、１３５と第２環着補助板１３６で繋いで補強する構成とされている。第１環着補助板１３５、１３５は途中でＬ字に屈曲し、第１弾性環着体１３３と第２弾性環着体１３４、１３４を繋ぎ、第２環着補助板１３６は第２弾性環着体１３４、１３４どうしを繋いでいる。第１弾性環着体１３３と一対の第１環着補助板１３５、１３５が第１弾性環着部１３１’を構成し、一対の第２弾性環着体１３４、１３４と第２環着補助板１３６と一対の第１環着補助板１３５、１３５の残りが第２弾性環着部１３２’を構成する。
【００３３】
図９は、さらに別の仕切り留め具１４０を示している。この仕切り留め具１４０は、下方に開口する圧入空間１４１Ａを有する断面逆Ｕ字形の第１弾性環着部１４１と、下方に開口する圧入空間１４２Ａを有する断面逆Ｕ字形の第２弾性環着部１４２が平面視して十字形をなすように構成されている。同仕切り留め具１４０は、上部スリットおよび下部スリットのない仕切り板どうしを組付けるのに用いることができる。固定位置を無段階に調整できるので、小収容室のサイズを微調整できる利点がある。
【００３４】
なお、仕切りユニット１００は、仕切り留め具１３０、１３０’、１４０を用いることで、中容器１１０内の仕切り板どうしを十字形だけでなく、Ｔ字形、Ｙ字形等自由に組付けることが可能である。また、仕切りユニット１００は、収容バッグ１に収容する場合に限らず、例えば、机の引出に収容する、あるいはそのまま机上に置いて使用する等、小物入れとして幅広く適用可能である。さらに、留め具１３０は、仕切り用に限らず、その他の留め具としても幅広く適用可能である。
【産業上の利用可能性】
【００３５】
本発明の仕切りユニットおよび仕切り留め具は、収容バッグその他への仕切り用途に利用可能である。また、本発明の収容バッグは、中の小物類を容易に仕切れる収容バッグとして幅広く利用可能である。
【符号の説明】
【００３６】
１  収容バッグ
２  収容室
３  取っ手
１００  仕切りユニット
１１０  内容器
１１１  内容器本体
１１１Ａ  開口部
１１２  カバー
１２０  仕切り
１２１，１２２  仕切り板
１２３  上部スリット
１２４  下部スリット
１２５  外挿体
１３０  仕切り留め具
１３１  第１弾性環着部
１３２  第２弾性環着部
１３１Ａ，１３２Ａ，１３４Ａ，１３５Ａ  圧入空間
１３３  第１弾性環着体
１３４  第２弾性環着体
１３５  第１環着補助板
１３６  第２環着補助板
【図１】
2012085705.tif 000003
【図２】
2012085705.tif 000004
【図３】
2012085705.tif 000005
【図４】
2012085705.tif 000006
【図５】
2012085705.tif 000007
【図６】
2012085705.tif 000008
【図７】
2012085705.tif 000009
【図８】
2012085705.tif 000010
【図９】
2012085705.tif 000011